(57)【要約】【課題】シール部材の剥離によって興味ある視覚的変化をもたらすことのできる印刷表現用紙を提供する。【解決手段】写真、絵画、デザイン等の画像情報Ａを施した台紙１と、画像情報Ａと関連のある別の画像情報Ｂ、Ｃを施した剥離及び再接着可能なシール部材２、３とを備える。台紙１の画像情報Ａを覆うようにシール部材２を貼着し、その上にシール部材２を覆うようにシール部材３を貼着する。各シール部材が積層された状態から、最上層のシール部材３を剥離すると、下層のシール部材２に施された魚の内臓の画像情報Ｂが現れ、シール部材２を剥離すると、台紙１上に施された魚の骨の画像情報Ａが現れる。シール部材を最上層から順次剥離してゆくことで、画像情報が視覚的に次々と変化し、魚を解剖しているかのような擬似体験をすることができる。【選択図】  図１
2006011347.tif 000002
【特許請求の範囲】
【請求項１】
写真、絵画、デザイン等の画像情報を施した台紙と、前記画像情報と関連のある別の画像情報を施した剥離及び再接着可能なシール部材とを備え、
前記シール部材を、前記台紙に施された画像情報の全部又は一部を覆うように台紙上に接着し、前記シール部材を剥離することにより画像情報を視覚的に変化させることを特徴とする印刷表現用紙。
【請求項２】
前記シール部材は、互いに異なった画像情報が施された複数のシール部材からなり、これらのシール部材を前記台紙上の画像情報の位置で重ね合わせて多層に接着し、最上層から剥離することにより、画像情報を順次視覚的に変化させることを特徴とする請求項１に記載の印刷表現用紙。
【請求項３】
最上層のシール部材に施された画像情報は生物の外観を表現したものであり、最上層より下層のシール部材に施された画像情報は当該生物の内部を表現したものであることを特徴とする請求項２に記載の印刷表現用紙。
【請求項４】
前記シール部材の形状は、前記台紙上の画像情報とほぼ同形状又は類似形状であることを特徴とする請求項１、請求項２または請求項３に記載の印刷表現用紙。
【発明の詳細な説明】
【技術分野】
【０００１】  この発明は、絵本、図鑑、書籍、雑誌等において写真や絵画の画像情報を視覚的に変化させることのできる印刷表現用紙に関する。
【背景技術】
【０００２】  従来の絵本、図鑑、書籍、雑誌等における写真、絵画、デザイン等の画像情報は、用紙に施される印刷のみにより固定的に描写されているため、表現方法において変化の乏しいものとなっている。【０００３】  また、以下の特許文献１には、所定の図柄を印刷した剥離可能なシートを、風景等が描かれたページの台紙に貼り付けるようにした遊戯絵本が示されているが、シートの剥離により図柄の視覚的変化が得られるものではない。さらに、特許文献２には、多数の区画シールを１枚ずつ剥離することにより、下に隠れている図柄が徐々に出現するようにした表示用紙が示されているが、シールに表示された情報と下に隠れている図柄との間には何の関連もないので、シールの剥離により画像情報を一定の関連性をもたせて興味深く変化させることはできない。【０００４】
【特許文献１】  特開平２−２６８７９１号公報
【特許文献２】  特開平１０−１８７０３９号公報
【発明の開示】
【発明が解決しようとする課題】
【０００５】  そこで、この発明は、シール部材の剥離によって興味ある視覚的変化をもたらすことのできる印刷表現用紙を提供することを課題とする。
【課題を解決するための手段】
【０００６】  以上の課題を解決するために、請求項１の発明は、写真、絵画、デザイン等の画像情報を施した台紙と、前記画像情報と関連のある別の画像情報を施した剥離及び再接着可能なシール部材とを備え、このシール部材を、台紙に施された画像情報の全部又は一部を覆うように台紙上に接着し、シール部材を剥離することにより画像情報を視覚的に変化させるようにしている。【０００７】  請求項２の発明では、請求項１の発明において、シール部材は互いに異なった画像情報が施された複数のシール部材からなり、これらのシール部材を台紙上の画像情報の位置で重ね合わせて多層に接着し、最上層から剥離することにより、画像情報を順次視覚的に変化させるようにしている。【０００８】  請求項３の発明では、請求項２の発明において、最上層のシール部材に施された画像情報は生物の外観を表現したものであり、最上層より下層のシール部材に施された画像情報は当該生物の内部を表現したものとなっている。【０００９】  請求項４の発明では、請求項１、請求項２または請求項３の発明において、シール部材の形状を台紙上の画像情報とほぼ同形状又は類似形状としている。
【発明の効果】
【００１０】  この発明によれば、台紙上の画像情報と関連のある画像情報を施したシール部材を、台紙の画像情報の全部又は一部を覆うように接着したので、シール部材を剥離することにより、画像情報を一定の関連性をもって興味深く変化させることができる。
【発明を実施するための最良の形態】
【００１１】  この発明の一実施形態を図１に示す。図１の印刷表現用紙は、写真、絵画、デザイン等の画像情報Ａを施した台紙１と、画像情報Ａと関連のある別の画像情報Ｂ、Ｃを施した剥離及び再接着可能なシール部材２、３とからなる。ここでは、台紙１の画像情報Ａは魚の骨であり、シール部材２の画像情報Ｂは魚の内臓であり、シール部材３の画像情報Ｃは魚の外観（表面）である。【００１２】  画像情報Ａは台紙１に予め印刷されている。シール部材２、３は、表面にそれぞれ画像情報Ｂ、Ｃが印刷されているとともに、裏面には再接着可能な接着剤が塗布されている。シール部材２、３の材質としては、樹脂フィルム、金属箔、紙などが考えられるが、これに限らず、たとえば布地などを用いることも可能であり、材質は特に限定されない。【００１３】  シール部材２、３の形状は、台紙１上の画像情報Ａとほぼ同形状又は類似形状となっており、図２のように、台紙１の画像情報Ａを覆うようにシール部材２を貼着し、その上にシール部材２を覆うようにシール部材３を貼着することにより、図３のように、台紙１上に魚の外観が表示された状態となる。図４〜図６は、それぞれ図１〜図３に対応する断面図を表している。【００１４】  ここでは、シール部材２、３を２層としたが、台紙１を含む絵本、図鑑、書籍、雑誌等が折りたたみ可能である限り、シール部材は幾層にも接着することが出来る。【００１５】  このような印刷表現用紙において、図３のように各シール部材が積層された状態から、最上層のシール部材３を剥離すると、図２のように下層のシール部材２に施された魚の内臓の画像情報Ｂが現れる。次に、図２の状態から、シール部材２を剥離すると、図１のように台紙１上に施された魚の骨の画像情報Ａが現れる。つまり、この例では、シール部材を最上層から順次剥離してゆくことで、画像情報が視覚的に次々と変化してゆき、あたかも魚を解剖しているかのような擬似体験をすることができる。【００１６】  以上のようにして、シール部材２、３を剥離するたびに画像情報が順次変化して新たな認識が生じるので、印刷表現用紙に対する更なる関心が深まる。また、シール部材２、３の画像情報Ｂ、Ｃは、台紙１上の画像情報Ａと関連したものであるため、画像情報を一定の関連性をもって興味深く変化させることができる。【００１７】  なお、図１〜図３における画像情報Ａ〜Ｃは一実施形態であって、この発明の画像情報は魚類のみに限定されるものではない。例えば、人体、動物、昆虫、鳥類など、他の生物に関する画像情報であってもよい。この場合も、最上層のシール部材により生物の外観（表面）を表現し、複数枚の下層シール部材で生物の内部を何層にも分割して表現することが出来る。さらに、画像情報の対象物は生物だけに限らず、地球のような自然物や、コンピュータのような人造物であってもよい。【００１８】  また、図１〜図３では、シール部材２、３の形状は、台紙１上の画像情報Ａとほぼ同形状又は類似形状となっているが、シール部材は、台紙に施された画像情報の全部又は一部を覆うものであれば、その形状は問わない。例えば、シール部材２の形状を内臓のみに合わせた形にしてもよい。さらに、図１では、画像情報Ａは台紙１の上に部分的に��刷されているが、台紙１の全面に画像情報を印刷してもよい。
【図面の簡単な説明】
【００１９】
【図１】本発明の印刷表現用紙の実施形態を示す全体斜視図である。
【図２】シ−ル部材の一部を接着した状態を示す斜視図である。
【図３】シ−ル部材の全部を接着した状態を示す斜視図である。
【図４】図１に対応する断面図である。
【図５】図２に対応する断面図である。
【図６】図３に対応する断面図である。
【符号の説明】
【００２０】    １  台紙
２  シ−ル部材
３  シ−ル部材
Ａ  台紙上の画像情報
Ｂ  シ−ル部材上の画像情報
Ｃ  シ−ル部材上の画像情報
【図１】
2006011347.tif 000003
【図２】
2006011347.tif 000004
【図３】
2006011347.tif 000005
【図４】
2006011347.tif 000006
【図５】
2006011347.tif 000007
【図６】
2006011347.tif 000008